(57)【要約】      （修正有）【課題】目と目薬容器との相対位置を簡単に位置決めすることができ、衛生的かつ確実に点眼することができる目薬容器用の位置決め具を提供する。【解決手段】目薬容器用の位置決め具１は、顔面における点眼しようとする目の周囲に当接させる眼周あて部２と、鼻に当接させる鼻あて部３と、目薬容器１０の点眼口１２の吐出方向前方に眼周あて部２が位置するように、眼周あて部２を目薬容器１０に対して支持するとともに、目薬容器１０の点眼口１２の吐出方向側方に鼻あて部３が位置するように、鼻あて部３を目薬容器１０に対して支持する支持部４とを備えており、前記目に対して目薬容器１０の点眼口１２を位置決めするように構成されている。【選択図】図１
0003175260.tif 000002
【実用新案登録請求の範囲】
【請求項１】
顔面における点眼しようとする目の周囲に当接させる眼周あて部と、
目薬容器の点眼口の吐出方向前方に前記眼周あて部が位置するように、前記眼周あて部を前記目薬容器に対して支持する支持部とを備え、
前記目に対して前記目薬容器の点眼口を位置決めするように構成された目薬容器用の位置決め具。
【請求項２】
前記眼周あて部は、前記目の周囲を囲むように略円形状又は略楕円形状に当接するように形成された請求項１記載の目薬容器用の位置決め具。
【請求項３】
前記眼周あて部は、前記略円形又は前記略楕円形のフレーム状に形成されており、
前記支持部は、前記眼周あて部から前記吐出方向後方へ延びるフレーム状に形成されている請求項１又は２記載の目薬容器用の位置決め具。
【請求項４】
前記眼周あて部又は／及び前記支持部は、金属又は樹脂からなる請求項１〜３のいずれか一項に記載された目薬容器用の位置決め具。
【請求項５】
鼻に当接させる鼻あて部を備え、
前記支持部は、目薬容器の点眼口の吐出方向側方に前記鼻あて部が位置するように、前記鼻あて部を前記目薬容器に対して支持する請求項１〜４のいずれか一項に記載された目薬容器用の位置決め具。
【請求項６】
前記鼻あて部は、前記支持部における眼周あて部側が側方に突出するように形成されてなる請求項５記載の目薬容器用の位置決め具。
【請求項７】
前記鼻あて部は、金属又は樹脂からなる請求項５又は６記載の目薬容器用の位置決め具。
【請求項８】
前記支持部は、前記目薬容器に着脱可能に構成された請求項１〜７のいずれか一項に記載の目薬容器用の位置決め具。
【請求項９】
請求項１〜８のいずれか一項に記載の目薬容器用の位置決め具を備えた目薬容器。
【請求項１０】
前記点眼口が、薬液を入れた容器本体よりも目立つように着色された請求項９記載の目薬容器。
【考案の詳細な説明】
【技術分野】
【０００１】
本考案は、目薬容器に取り付けられ、点眼しようとする目に対して前記目薬容器の点眼口を位置決めするための目薬容器用の位置決め具及びそれを備えた目薬容器に関するものである。
【背景技術】
【０００２】
一般に目薬容器は、薬液を入れる容器本体にキャップ付きの点眼口が設けられなっている。この目薬容器で点眼するには、キャップを開けるとともに、顔を上げて目に対して垂直に２〜３センチほどの高さに目薬容器を保持する。そして、目薬容器を指で押して薬液を目に垂らす。
【先行技術文献】
【非特許文献】
【０００３】
【非特許文献１】"目薬"、[online]、Wikipedia、［平成２４年２月７日検索］、インターネット＜ＵＲＬ：http://ja.wikipedia.org/wiki/%E7%9B%AE%E8%96%AC＞
【考案の概要】
【考案が解決しようとする課題】
【０００４】
ところが、点眼時に、目に対する目薬容器の高さが低すぎると、点眼口が目、まぶた、睫毛などに接触することがあり、目薬容器内の薬液が汚染されてしまうことがあるという課題がある。一方、高さが高すぎると目に入りにくくなるという課題がある。また、手指に震えがあったり、外部からの振動が手指に加わったりする、目と目薬容器との相対位置がぶれやすく、点眼しにくいという課題もある。
【０００５】
また、目薬容器は、一般に、点眼口が半透明の乳白色に形成され、薬液を入れた容器本体が透明又は半透明に形成されている。このように点眼口と容器本体との色彩のコントラストが低いため、視力が低下している者にとって点眼口が見えにくく、目に対して適切な位置に配置しにくいという課題もある。
【課題を解決するための手段】
【０００６】
前記課題を解決するために、第１の考案の目薬容器用の位置決め具は、
顔面における点眼しようとする目の周囲に当接させる眼周あて部と、
目薬容器の点眼口の吐出方向前方に前記眼周あて部が位置するように、前記眼周あて部を前記目薬容器に対して支持する支持部とを備え、
前記目に対して前記目薬容器の点眼口を位置決めするように構成されている。
【０００７】
この構成によれば、前記眼周あて部を目の周囲に当接させることにより、目と目薬容器との相対位置を簡単に位置決めすることができ、衛生的かつ確実に点眼することができる。
【０００８】
第２の考案の目薬容器用の位置決め具としては、前記第１の考案において、
前記眼周あて部は、前記目の周囲を囲むように略円形状又は略楕円形状に当接するように形成された態様を例示する。
【０００９】
この構成によれば、目の全周方向に対して前記目薬容器の姿勢を安定的に保持することができる。
【００１０】
第３の考案の目薬容器用の位置決め具としては、前記第１又は２の考案において、
前記眼周あて部は、前記略円形又は前記略楕円形のフレーム状に形成されており、
前記支持部は、前記眼周あて部から前記吐出方向後方へ延びるフレーム状に形成されている態様を例示する。
【００１１】
この構成によれば、本位置決め具をシンプルかつ軽量に形成できる。また、洗浄等のメンテナンスも行い易い。
【００１２】
第４の考案の目薬容器用の位置決め具としては、前記第１〜３のいずれかの考案において、
前記眼周あて部又は／及び前記支持部は、金属又は樹脂からなる態様を例示する。
【００１３】
前記金属としては、特に限定されないが、特に、金、銀、銅などのような殺菌作用のある金属で形成すれば、衛生面で有利なものとすることができる。前記樹脂としては、特に限定されないが、抗菌樹脂や滅菌樹脂で形成すれば、衛生面で有利なものとすることができる。
【００１４】
第５の考案の目薬容器用の位置決め具としては、前記第１〜４のいずれかの考案において、
鼻に当接させる鼻あて部を備え、
前記支持部は、目薬容器の点眼口の吐出方向側方に前記鼻あて部が位置するように、前記鼻あて部を前記目薬容器に対して支持する態様を例示する。
【００１５】
この構成によれば、前記鼻当て部を鼻に当接させることにより、目と目薬容器との相対位置をさらに簡単に位置決めすることができる。
【００１６】
第６の考案の目薬容器用の位置決め具としては、前記第５の考案において、
前記鼻あて部は、前記支持部における眼周あて部側が側方に突出するように形成されてなる態様を例示する。
【００１７】
この構成によれば、本位置決め具をシンプルかつ軽量に形成できる。また、洗浄等のメンテナンスも行い易い。
【００１８】
第７の考案の目薬容器用の位置決め具としては、前記第５又は６の考案において、
前記鼻あて部は、金属又は樹脂からなる態様を例示する。
【００１９】
この構成によれば、第４の考案と同様の作用効果が得られる。
【００２０】
第８の考案の目薬容器用の位置決め具としては、前記第１〜７のいずれかの考案において、
前記支持部は、前記目薬容器に着脱可能に構成された態様を例示する。
【００２１】
この構成によれば、携帯時、洗浄時、交換時などの必要時に適宜目薬容器から取り外すことができる。
【００２２】
また、第９の考案の目薬容器は、
前記第１〜８のいずれかの考案に係る目薬容器用の位置決め具を備えている。
【００２３】
この構成によっても、前記位置決め具と同様の作用効果が得られる。
【００２４】
第１０の考案の目薬容器用の位置決め具としては、前記第９の考案において、
前記点眼口が、薬液を入れた容器本体よりも目立つように着色された態様を例示する。
【００２５】
この構成によれば、例えば視力が低下している者でも前記点眼口を容易に視認することができ、前記点眼口を目に対して適切な位置に配置しやすい。なお、前記点眼口の色としては、特に限定されないが、目薬容器本体の色が透明又は半透明である場合に、赤、黒、緑などの濃い色にすることを例示する。
【考案の効果】
【００２６】
本考案に係る目薬容器用の位置決め具及びそれを備えた目薬容器によれば、目と目薬容器との相対位置を簡単に位置決めすることができ、衛生的かつ確実に点眼することができるという優れた効果を奏する。
【図面の簡単な説明】
【００２７】
【図１】本考案を具体化した一実施形態に係る目薬容器用の位置決め具の斜視図である。
【図２】同位置決め具の正面図である。
【図３】同位置決め具の左側面図である。
【図４】同位置決め具の右側面図である。
【図５】同位置決め具の平面図である。
【図６】同位置決め具の使用状態を示す底面図である。
【図７】同位置決め具の使用状態を示す正面図である。
【図８】同位置決め具の変更例を示す正面図である。
【図９】同位置決め具の別の変更例を示す正面図である。
【考案を実施するための形態】
【００２８】
図１〜図９は本考案を具体化した一実施形態の目薬容器用の位置決め具１及びそれを備えた目薬容器１０を示している。本考案の位置決め具１は、目Ｅに対して目薬容器１０の点眼口１２を位置決めするように構成されており、目薬容器１０に対して着脱可能に構成されている。
【００２９】
目薬容器１０は、図１〜５に示すように、薬液を入れる容器本体１１と、薬液を吐出する点眼口１２と、点眼口１２をカバーするキャップ１３と、位置決め具１の支持部（後述）を取り付ける取付部１４とを備えている。点眼口１２は、薬液を入れた容器本体１１よりも目立つように着色されている。点眼口１２の色としては、特に限定されないが、容器本体１１の色が透明又は半透明である場合に、赤、黒、緑などの濃い色にすることを例示する。取付部１４は、容器本体１１の左右両側面における前後に設けられた一対の凹部１１ａを備えている。各凹部１１ａは、上方へ開口しており、位置決め具１の支持部（後述）が上方から挿入されるようになっている。
【００３０】
位置決め具１は、図１〜５に示すように、眼周あて部２と、鼻あて部３と、左右の支持部４，４とを備え、前記目Ｅに対して目薬容器１０の点眼口１２を位置決めするように構成されている。眼周あて部２、鼻あて部３、及び支持部４，４が前後一対の２本の金属製の線材１ａ，１ａにより形成されている。２本の線材１ａ，１ａは、左右の支持部４，４のところで接合されている。この接合方法としては、特に限定されないが、溶接、接着など適宜公知の方法を採用できる。位置決め具１の材質としては、金属に限定されず、樹脂などの公知のものを適宜採用することができる。
【００３１】
眼周あて部２は、図６に示すように、顔面における点眼しようとする目Ｅの周囲に当接させるためのもので、前記目Ｅの周囲を囲むように略楕円形状に当接するように形成されている。具体的には、本例の眼周あて部２は、目Ｅの形状に適合するように、左右方向が長径の略楕円形のフレーム状に形成されている。眼周あて部２の形状は、略楕円形に限定されず、略円形、略多角形などに形成することもできる。
【００３２】
鼻あて部３は、図６に示すように、鼻Ｎに当接させるためのものであり、位置決め具１の左右方向における一方側に設けられている。具体的には、一方の支持部４における眼周あて部側が側方に突出するように形成されてなっている。鼻あて部３は、鼻Ｎの側面に当接するように、眼周あて部よりも点眼口側に位置するとともに、前記一側方側へ突出するように形成されている。
【００３３】
支持部４は、目薬容器１０の点眼口１２の吐出方向前方に眼周あて部２が位置するように、眼周あて部２を目薬容器１０に対して支持するとともに、目薬容器１０の点眼口１２の吐出方向側方に鼻あて部３が位置するように、鼻あて部３を目薬容器１０に対して支持するためのもので、眼周あて部２の左右両側からそれぞれ前記吐出方向後方へ延びるフレーム状に形成されている。支持部４は、目薬容器１０の取付部１４に対する挿入深さが調節可能になっており、これにより、眼周あて部２と点眼口１２の間隔が調節可能になっている。眼周あて部２と点眼口１２の間隔は、瞬きしても睫毛が点眼口１２に接触しないようにすることが好ましい。
【００３４】
本考案に係る位置決め具１及びそれを備えた目薬容器１０を使用するには、目薬容器１０のキャップ１３を開けるとともに、図６及び図７に示すように顔を上げて目Ｅの周囲に眼周あて部２を当接させるとともに、鼻あて部３を鼻Ｎの側面に当接させる。そして、容器本体１１を指で押して薬液を目Ｅに垂らす。なお、もう一方の目Ｅに点眼するときは、目薬容器１０を平面視で１８０°回転させて使用する。
【００３５】
以上のように構成された本例の目薬容器用の位置決め具１によれば、眼周あて部２を目Ｅの周囲に当接させることにより、目Ｅと目薬容器１０との相対位置を簡単に位置決めすることができ、衛生的かつ確実に点眼することができる。
【００３６】
また、眼周あて部２は、前記目Ｅの周囲を囲むように略楕円形状に当接するように形成されているので、目Ｅの全周方向に対して目薬容器１０の姿勢を安定的に保持することができる。
【００３７】
また、眼周あて部２は、略楕円形のフレーム状に形成されており、支持部４は、眼周あて部２から前記吐出方向後方へ延びるフレーム状に形成されているので、本位置決め具１を軽量に形成できる。また、洗浄等のメンテナンスも行い易い。
【００３８】
また、眼周あて部２、鼻あて部３、及び支持部４は、金属からなっている。この金属としては、特に限定されないが、特に、金、銀、銅などのような殺菌作用のある金属で形成すれば、衛生面で有利なものとすることができる。眼周あて部２、鼻あて部３、及び支持部４を、例えば、樹脂で形成してもよい。この樹脂としては、特に限定されないが、抗菌樹脂や滅菌樹脂で形成すれば、衛生面で有利なものとすることができる。
【００３９】
また、鼻Ｎに当接させる鼻あて部３を備え、支持部４は、目薬容器１０の点眼口１２の吐出方向側方に鼻あて部３が位置するように、鼻あて部３を目薬容器１０に対して支持するように構成されているので、鼻当て部３を鼻Ｎに当接させることにより、目Ｅと目薬容器１０との相対位置をさらに簡単に位置決めすることができる。
【００４０】
また、鼻あて部３は、支持部４における眼周あて部側が側方に突出するように形成されてなるので、本位置決め具１をシンプルかつ軽量に形成できる。また、洗浄等のメンテナンスも行い易い。
【００４１】
また、支持部４は、目薬容器１０に着脱可能に構成されているので、携帯時、洗浄時、交換時などの必要時に適宜目薬容器１０から取り外すことができる。
【００４２】
また、本考案の目薬容器１０は、目薬容器用の位置決め具１を備えているので、この位置決め具１と同様の作用効果が得られる。
【００４３】
また、本考案の目薬容器１０は、点眼口１２が、薬液を入れた容器本体１１よりも目立つように着色されているので、例えば視力が低下している者でも点眼口１２を容易に視認することができ、点眼口１２を目Ｅに対して適切な位置に配置しやすい。なお、点眼口１２の色としては、特に限定されないが、容器本体１１の色が透明又は半透明である場合に、赤、黒、緑などの濃い色にすることを例示する。
【００４４】
なお、本考案は前記実施形態に限定されるものではなく、例えば以下のように、考案の趣旨から逸脱しない範囲で適宜変更して具体化することもできる。
（１）前記実施形態における目薬容器１０に対する位置決め具１の取り付け態様は、一例であって特に限定されない。例えば、次の態様のように適宜変更することができる。
（１−１）図８に示すように、目薬容器１０の取付部１４を上方に延びる凸部に形成するとともに、位置決め具１の支持部４の下端に凹部を形成し、この両者を嵌合させることにより取り付ける態様。
（１−２）図９に示すように、支持部４の基端側に容器本体１１（取付部１４を備えないもの）を装着可能な凹部４ａを設け、この凹部４ａに対し、この容器本体１１を着脱可能に装着する態様。
（２）眼周あて部２、鼻あて部３、支持部４のいずれか又は全部を別の材質で形成すること。
（３）本考案の位置決め具１を備えた目薬容器１０のケースとしては、特に限定されないが、目薬容器１０に位置決め具１を取り付けた状態のまま収納するように構成したり、目薬容器１０から位置決め具１を取り外した状態で収納するように構成したりすることを例示する。
【符号の説明】
【００４５】
１    目薬容器用の位置決め具
１ａ  金属製の線材
２    眼周あて部
３    鼻あて部
４    支持部
４ａ  凹部
１０    目薬容器
１１    容器本体
１１ａ  凹部
１２    点眼口
１３    キャップ
１４    取付部
Ｅ    目
Ｎ    鼻
【図１】
0003175260.tif 000003
【図２】
0003175260.tif 000004
【図３】
0003175260.tif 000005
【図４】
0003175260.tif 000006
【図５】
0003175260.tif 000007
【図６】
0003175260.tif 000008
【図７】
0003175260.tif 000009
【図８】
0003175260.tif 000010
【図９】
0003175260.tif 000011